(57)【要約】【課題】  特定の患者宅を訪問し診察する際に、予め必要なカルテ情報やオーダセットを用意して往診に出かけることが可能な装置を提供する。【解決手段】  患者データと訪問診療予約データを記憶したサーバと、このサーバに通信回線を介して接続された状態においてサーバとの間でデータを送受信可能な端末装置とを有し、端末装置は、通信回線が接続されているときにはサーバとの間で通信回線を介してデータのアクセスを可能とする院内での動作モードに設定し、通信回線が遮断されているときには端末装置の記憶装置との間でデータのアクセスを可能とする入力装置から診療録の入力を行う往診での動作モードに設定され、端末装置が訪問診療の際に用いる患者データを訪問診療予約データに記憶された患者名または患者ＩＤに基づきサーバのデータベースから抽出し、端末装置の記憶装置に格納する。【選択図】    図３２
2011022732.tif 000002
【特許請求の範囲】
【請求項１】
患者データと訪問診療予約データを記憶したデータベースを有するサーバ装置と、このサーバ装置に通信回線を介して接続された状態において前記サーバとの間でデータを送受信可能な端末装置とを有し、
前記端末装置は、前記通信回線との接続を行うネットワーク処理部と、診療録を記憶できる領域を備える記憶装置と、入力装置と、表示装置と、これらの動作を制御する制御部とを有し、前記制御部は、通信回線が接続されているときには前記サーバ装置との間で通信回線を介してデータのアクセスを可能とする院内での動作モードに設定し、通信回線が遮断されているときには前記端末装置の記憶装置との間でデータのアクセスを可能とする入力装置から診療録の入力を行う往診での動作モードに設定し、前記端末装置が訪問診療の際に用いる患者データを前記訪問診療予約データに記憶された患者名または患者ＩＤに基づき前記サーバ装置のデータベースから抽出し、前記端末装置の記憶装置に格納することを特徴とする電子カルテ端末装置。
【請求項２】
前記端末装置は、患者データがない訪問先で診療する際、患者ＩＤ又は患者名に基づき往診カルテを作成し、前記サーバ装置とデータ同期時に、作成した往診カルテの患者を前記サーバ装置内のデータベースを検索し、該当するサーバ内のデータベースに往診カルテの内容を追加することを特徴とする請求項１に記載の電子カルテ端末装置。
【請求項３】
前記端末装置は、往診フォルダと患者毎に作成される患者フォルダを作成し、患者毎のオーダ項目を前記表示装置に表示させることを特徴とする請求項１または請求項２に記載の電子カルテ端末装置。
【発明の詳細な説明】
【技術分野】
【０００１】
この発明は、患者の診療に関する情報を記録する電子カルテ装置に関するものである。
【背景技術】
【０００２】
医療機関において、患者に対する治療内容等を記録する診療支援装置、いわゆる電子カルテ装置が用いられている。
【０００３】
通常の医療機関における電子カルテ装置は、診療及び各種マスタ等を管理、格納する診療録データベースを備えた電子カルテサーバと、その電子カルテサーバに格納された診療録データベースからデータを読み出して表示するとともに医師が入力するデータによりデータベースの診療録を更新するクライアントと、サーバとクライアントと接続する通信回線と、で構成されるクライアントサーバシステムで構成されている。
【０００４】
ところで、上記クライアントサーバシステムは、上記のように病院などに設置されたサーバとクライアントがＬＡＮ（Local Area Network）等の通信回線により常時接続されている。
【０００５】
従って、医師が自宅、特養施設、往診など院外にいる場合、電子カルテシステムから離れた場合には、電子記録方式による診療録の管理は不可能である。
【０００６】
しかし、医師は、自宅や特養施設、往診など院外で電子記録方式による診療録の管理を行いたい要望がある。
【０００７】
一方、近年、２週間に１回とか月に１回など定期的に医師が自宅を計画的に訪問（往診）して、診察する訪問診療や訪問看護が行われている。訪問看護を円滑にするための訪問看護支援システムが特許文献１に提案されている。
【０００８】
特許文献１には、以下に示すシステムが開示されている。まず、携帯端末がサーバとＬＡＮ接続されると、サーバは看護スケジュールシステムのスケジュールに従って所定の患者の看護データを携帯端末にダウンロードする。また、訪問看護終了後は、訪問先で登録した新たな患者データを携帯端末からサーバにアップロードすることにより、サーバ内の患者データを更新する。
【０００９】
このように、上記特許文献１の訪問看護支援システムによれば、患者データの取り扱いが容易な訪問看護用サーバにより、円滑な訪問看護システムを構築することができる。
【先行技術文献】
【特許文献】
【００１０】
【特許文献１】特開平９−１８５６５７号公報
【発明の概要】
【発明が解決しようとする課題】
【００１１】
上記特許文献１の訪問看護システムは、看護スケジュールシステムに示される患者のデータをサーバに接続された携帯端末に自動的にダウンロードしている。そして、一度ダウンロードされた患者データは、更新不可フラグが設定され、データを書き換えて更新できないように構成されている。
【００１２】
通常、訪問診療は計画的に患者宅に訪問して診察を行うものである。このため、通常、診察の予約を行い、診察(または看護)のスケジュールが組まれている。上記特許文献１の記載のシステムのように、スケジュールに示される患者のデータを携帯端末にダウンロードすることで、訪問先で患者データを利用することができる。
【００１３】
しかしながら、病状が悪化した場合には、患者の求めに応じて往診する臨時往診がある。このような場合には、従来のシステムでは、携帯端末を用いた臨時往診の入力ができないという難点がある。
【００１４】
この発明は、特定の患者宅を訪問し診察する際に、予め必要なカルテ情報やオーダセットを用意して往診に出かけることが可能な訪問診療端末装置を提供する。
【００１５】
また、帰院時にも往診時のデータを院内端末装置に反映することができ、往診に伴うカルテの準備の手間を省き、且つ診療情報の漏れの防止や診察準備の漏れを防止することを目的とする。
【課題を解決するための手段】
【００１６】
この発明の電子カルテ端末装置は、患者データと訪問診療予約データを記憶したデータベースを有するサーバ装置と、このサーバ装置に通信回線を介して接続された状態において前記サーバとの間でデータを送受信可能な端末装置とを有し、前記端末装置は、前記通信回線との接続を行うネットワーク処理部と、診療録を記憶できる領域を備える記憶装置と、入力装置と、表示装置と、これらの動作を制御する制御部とを有し、前記制御部は、通信回線が接続されているときには前記サーバ装置との間で通信回線を介してデータのアクセスを可能とする院内での動作モードに設定し、通信回線が遮断されているときには前記端末装置の記憶装置との間でデータのアクセスを可能とする入力装置から診療録の入力を行う往診での動作モードに設定し、前記端末装置が訪問診療の際に用いる患者データを前記訪問診療予約データに記憶された患者名または患者ＩＤに基づき前記サーバ装置のデータベースから抽出し、前記端末装置の記憶装置に格納することを特徴とする。
【００１７】
上記の構成によれば、予め必要なカルテ情報やオーダセットを用意して往診に出かけることが可能となり、訪問診療端末装置を提供することができる。
【００１８】
また、前記端末装置は、患者データがない訪問先で診療する際、患者ＩＤ又は患者名に基づき往診カルテを作成し、前記サーバ装置とデータ同期時に、作成した往診カルテの患者を前記サーバ装置内のデータベースを検索し、該当するサーバ内のデータベースに往診カルテの内容を追加するように構成することができる。
【００１９】
また、前記端末装置は、往診フォルダと患者毎に作成される患者フォルダを作成し、患者毎のオーダ項目を前記表示装置に表示させるように構成することができる。
【００２０】
上記の構成によれば、また、帰院時にも往診時のデータを院内端末装置に反映することができ、往診に伴うカルテの準備の手間を省き、且つ診療情報の漏れの防止や診察準備の漏れを防止することができる。
【発明の効果】
【００２１】
この発明によれば、特定の患者宅を訪問し診察する際に、予め必要なカルテ情報やオーダセットを用意して往診に出かけることができ、また、帰院時にも往診時のデータを院内端末装置に反映することができ、往診に伴うカルテの準備の手間を省き、且つ診療情報の漏れの防止や診察準備の漏れを防止することができる。
【００２２】
また、訪問診療患者の求めに応じて往診する臨時往診が場合においても、携帯端末を用いた臨時往診の入力を行うことができる。
【図面の簡単な説明】
【００２３】
【図１】この発明の電子カルテ端末装置、電子カルテサーバを用いた電子カルテ装置の構成を示す模式図である。
【図２】この発明の電子カルテ端末装置、電子カルテサーバを用いた電子カルテ装置の構成を機能的に示すブロック図である。
【図３】この発明の実施形態に用いられる電子カルテ端末装置のハードウェア構成を示すブロック図である。
【図４】この発明の実施形態の電子カルテ端末装置および電子カルテサーバの概略構成図である。
【図５】この発明の実施形態の電子カルテ端末装置の動作を説明するためのフローチャートである。
【図６】この発明の実施形態の電子カルテ端末装置の動作を説明するためのフローチャートである。
【図７】この発明の実施形態の電子カルテ端末装置の院外端末への切替処理の動作を説明するためのフローチャートである。
【図８】この発明の実施形態の電子カルテ端末装置の院内端末への切替処理の動作を説明するためのフローチャートである。
【図９】この発明の実施形態において、院外端末モードで電子カルテ端末装置を用いて患者ＩＤを用いた新患患者登録動作を説明するためのフローチャートである。
【図１０】この発明の実施形態において、患者ＩＤの同期動作を説明するためのフローチャートである。
【図１１】この発明の実施形態において、カルテの同期動作を説明するためのフローチャートである。
【図１２】この発明の実施形態の電子カルテ端末装置において、ネットワークの状態を変化したときに表示する表示装置の表示画面の例を示す模式図である。
【図１３】この発明の実施形態の電子カルテ端末装置において、プログラム起動中における表示装置の表示画面の例を示す模式図である。
【図１４】この発明の実施形態の電子カルテ端末装置において、プログラム起動中における表示装置の表示画面の例を示す模式図である。
【図１５】この発明の実施形態の電子カルテ端末装置において、表示装置の表示画面に表示される院外端末用のＩＤの入力画面の例を示す模式図である。
【図１６】この発明の実施形態の電子カルテ端末装置において、表示装置の表示画面に院外端末用モードの状態の例を示す模式図である。
【図１７】この発明の実施形態の電子カルテ端末装置において、表示装置の表示画面にネットワークの状態を変化したときに表示する例を示す模式図である。
【図１８】この発明の実施形態の電子カルテ端末装置において、表示装置の表示画面に表示される院内端末用のＩＤの入力画面の例を示す模式図である。
【図１９】この発明の実施形態の電子カルテ端末装置において、表示装置の表示画面に表示される同期処理中の例を示す模式図である。
【図２０】この発明の実施形態の電子カルテ端末装置において、院外端末モードで電子カルテ端末装置を用いて患者ＩＤを用いた新患患者登録画面の例を示す模式図である。
【図２１】この発明の実施形態の電子カルテ端末装置において、院外端末モードで電子カルテ端末装置を用いて患者ＩＤを用いた新患患者登録画面の例を示す模式図である。
【図２２】この発明の実施形態の電子カルテ端末装置において、院外端末モードで電子カルテ端末装置を用いて患者ＩＤを用いた新患患者登録画面の例を示す模式図である。
【図２３】この発明の実施形態の電子カルテ端末装置において、院外端末モードで電子カルテ端末装置を用いて患者ＩＤを用いた新患患者登録画面の例を示す模式図である。
【図２４】この発明の実施形態の電子カルテ端末装置において、患者ＩＤの同期処理の際の表示画面の例を示す模式図である。
【図２５】この発明の実施形態の電子カルテ端末装置において、患者ＩＤの同期処理の際の表示画面の例を示す模式図である。
【図２６】この発明の実施形態の電子カルテ端末装置において、患者ＩＤの同期処理の際の表示画面の例を示す模式図である。
【図２７】この発明の実施形態の電子カルテ端末装置において、患者ＩＤの同期処理の際の表示画面の例を示す模式図である。
【図２８】この発明の実施形態の電子カルテ端末装置において、患者ＩＤの同期処理の際の表示画面の例を示す模式図である。
【図２９】この発明の実施形態の電子カルテ端末装置において、カルテの同期処理の際の表示画面の例を示す模式図である。
【図３０】この発明の実施形態の電子カルテ端末装置において、カルテの同期処理の際の表示画面の例を示す模式図である。
【図３１】この発明の実施形態の電子カルテ端末装置において、カルテの同期処理の際の表示画面の例を示す模式図である。
【図３２】この発明の電子カルテ端末装置において、往診端末モードとして用いる場合の切替動作を示すフローチャートである。
【図３３】この発明の電子カルテ端末装置において、往診端末モードで記録したカルテ情報の同期処理を説明するためのフローチャートである。
【図３４】この発明の実施形態の電子カルテ端末装置において、往診端末モードで動作させるための同期処理の際の表示画面の例を示す模式図である。
【図３５】この発明の実施形態の電子カルテ端末装置において、往診端末モードで動作させるための同期処理の際の表示画面の例を示す模式図である。
【図３６】この発明の実施形態の電子カルテ端末装置において、往診端末モードで起動した場合の表示装置の表示画面の例を示す模式図である。
【図３７】この発明の実施形態の電子カルテ端末装置において、往診端末モードでカルテ画面を起動した場合の表示装置の表示画面の例を示す模式図である。
【図３８】この発明の実施形態の電子カルテ端末装置において、往診端末モードでカルテ画面を表示した表示装置の表示画面の例を示す模式図である。
【図３９】この発明の実施形態の電子カルテ端末装置において、往診端末モードでカルテ画面を表示した表示装置の表示画面の例を示す模式図である。
【図４０】この発明の実施形態の電子カルテ端末装置において、往診端末モードでカルテ画面を表示した表示装置の表示画面の例を示す模式図である。
【図４１】この発明の電子カルテ端末装置において、往診端末モードで予約外臨時往診を行うときの患者登録時の表示装置の表示画面の例を示す模式図である。
【図４２】この発明の電子カルテ端末装置において、往診端末モードで予約外臨時往診を行ったことを示す表示装置の表示画面の例を示す模式図である。
【図４３】この発明の電子カルテ端末装置において、往診端末モードで記録したカルテ情報の同期処理の状態を示す表示装置の表示画面の例を示す模式図である。
【図４４】この発明の電子カルテ端末装置において、往診端末モードで記録したカルテ情報の同期処理の状態を示す表示装置の表示画面の例を示す模式図である。
【図４５】この発明の電子カルテ端末装置において、往診端末モードで記録したカルテ情報の同期処理の状態を示す表示装置の表示画面の例を示す模式図である。
【図４６】この発明の電子カルテ端末装置において、往診端末モードで記録したカルテ情報の同期処理の状態を示す表示装置の表示画面の例を示す模式図である。
【図４７】この発明の電子カルテ端末装置において、往診端末モードの状態を示す表示装置の表示画面の例を示す模式図である。
【図４８】この発明の電子カルテ端末装置において、往診端末モードの状態を示す表示装置の表示画面の例を示す模式図である。
【図４９】この発明の電子カルテ端末装置において、往診端末モードの状態を示す表示装置の表示画面の例を示す模式図である。
【図５０】この発明の電子カルテ端末装置において、往診端末モードの状態を示す表示装置の表示画面の例を示す模式図である。
【図５１】この発明の電子カルテ端末装置において、往診端末モードの状態を示す表示装置の表示画面の例を示す模式図である。
【図５２】この発明の電子カルテ端末装置において、往診端末モードの状態を示す表示装置の表示画面の例を示す模式図である。
【図５３】この発明の電子カルテ端末装置において、往診端末モードの状態を示す表示装置の表示画面の例を示す模式図である。
【図５４】この発明の電子カルテ端末装置において、往診端末モードの状態を示す表示装置の表示画面の例を示す模式図である。
【発明を実施するための形態】
【００２４】
この発明の実施の形態について図面を参照しながら詳細に説明する。なお、図中同一または相当部分には同一符号を付し、説明の重複を避けるためにその説明は繰返さない。
【００２５】
図１に示すように、この発明の電子カルテ装置は、診療録が格納される診療録データベースを備えた電子カルテサーバ１００、窓口端末装置２００、カルテ端末装置３００、入力用端末装置４００、携帯入力端末装置５００が通信回線としてのＬＡＮ６０を介して互いに接続されている。窓口端末装置２００は、電子カルテサーバ１００に対してクライアントとしての機能とサーバとしての機能を有している。このため窓口端末装置２００の記憶装置と電子カルテサーバ１００内のデータベースは常時同期が採られ、データベースのミラーリングが採られている。
【００２６】
カルテ端末装置３００、入力用端末装置４００、携帯入力端末装置５００はクライアントとして用いられ、カルテ端末装置３００は、デスクトップ型のパーソナルコンピュータで構成され、端末装置４００，端末装置５００は、携帯に適したノートブック型パーソナルコンピュータで構成されている。特に、端末装置５００は、携帯に適したモバイル型パーソナルコンピュータで構成される。
【００２７】
なお、このシステムの構成はあくまでも例示であり、端末装置３００，４００，５００を全てノートブックパソコンで構成することも可能である。この実施形態においては、窓口端末装置２００、カルテ端末装置３００、入力用端末装置４００、携帯入力端末装置５００が電子カルテ端末装置として機能する。
【００２８】
電子カルテ端末装置４００、携帯入力端末装置５００は、ＬＡＮ６０と接続して院内環境で用いられるクライアントマシンの端末として使用でき、図１中矢印に示すように、ＬＡＮ６０による電子カルテサーバ１００との接続を切り離して院外における独立した電子カルテ入力装置として利用できる。この実施形態においては、２つの端末装置４００、携帯入力端末装置５００を院外における電子カルテ入力装置として用いることができる。携帯入力端末装置５００は、院外での往診の際に使用する往診端末として用いる。
【００２９】
また、この実施形態においては、院外における電子カルテ入力装置として用いる場合には、院外端末装置といい、特に、往診の際に用いる場合には往診端末装置ということにする。それぞれの院外端末装置４００，５００は互いに識別可能なように機器に識別情報を付加している。また、院内における電子カルテサーバ１００のクライアントとして用いる場合には、院内端末装置ということにする。
【００３０】
図２の機能ブロック図に従いこの発明にかかる電子カルテ装置の構成について説明する。図２において、電子カルテサーバ１００は、パーソナルコンピュータ（ＰＣ）、ワークステーション等を用いた情報処理装置で構成され、ハードディスクを備えた外部記憶装置１２０、ＣＰＵ等により構成される制御部１１３、ＲＡＭ、ＲＯＭ等を備えた内部記憶装置１１４、ＬＣＤ等からなる表示装置１１５、キーボード、マウス等を備えた入力装置１１６、ＬＡＮ６０に接続され通信制御を行うネットワーク処理部１１７を備える。
【００３１】
そして、電子カルテサーバ１００と窓口端末装置２００、カルテ端末装置３００、入力用端末装置４００、携帯入力端末装置５００とはＬＡＮ６０により接続される。
【００３２】
外部記憶装置１２０内には、患者毎のＩＤ、患者毎の氏名、生年月日、性別、血液型、感染症の有無等の個人情報を格納している患者管理ＤＢ（データベース）１２１、患者毎の診療履歴としてのカルテ、診療計画の情報、すなわち、患者毎の様々な情報を格納している患者治療情報ＤＢ１２２、病気毎の標準の診療手順を示す様々な情報を格納している診療ＤＢ１２３、多数の病名や薬品名、検査の種類等、医療に関する情報を登録している医療情報ＤＢ１２４、電子カルテシステムを利用する医師、事務職員等のユーザの個人情報を格納しているユーザ管理ＤＢ１２５、前述の各ＤＢの更新、読み出し等の電子サーバの処理を行うための処理プログラム１２６、ユーザ毎の利用形態の標準等の設定情報を格納している設定ファイル１２７が保持されている。
【００３３】
制御部１１３は、処理プログラムＤＢ１２６に格納されたプログラムにより、各種動作を制御するものである。例えば、入力装置１１６により入力された命令に従い、表示装置１１５に所定の内容を表示させるための制御、各ＤＢの更新、読み出し等の制御、ネットワーク処理部１１７を介してクライアントである各端末装置２００、３００、４００，５００との間の接続の制御を行うとともに、相互間でデータの送受制御などを行う。また、内部記憶装置１１４は、制御部１１３が各種の処理を行うためのワークメモリ等として使用される。
【００３４】
電子カルテ端末装置２００（３００、４００、５００）は、受付、診察室等に設置されるもので、パーソナルコンピュータを用いた情報処理装置で構成される。
【００３５】
図１において、窓口端末装置２００、カルテ端末３００は、デスクトップ型のパーソナルコンピュータで構成され、入力用端末装置４００，携帯入力端末装置５００は、ノートブック型パーソナルコンピュータで構成しているが、機能的には、デスクトップ型のパーソナルコンピュータもノートブック型パーソナルコンピュータとも同様に構成されるので、この図２及び図３については、両者を区別せずに記載している。
【００３６】
電子カルテ端末装置２００（３００、４００、５００）はハードディスク（ＨＤ）を備えた記憶装置２０５、ＣＰＵ等により構成される制御部２０４、ＬＣＤ等からなる表示装置２０２、キーボード、マウス等を備えた入力装置２０３、ＬＡＮ６０に接続され通信制御を行うネットワーク処理部２０１を備える。図示はしていないが、制御部２０４内には、ＲＡＭ、ＲＯＭ等を備えた内部記憶装置を備える。記憶装置２０５には、この端末装置の処理を行うための処理プログラム、ユーザ毎の利用形態の標準等の設定情報が少なくとも格納されている。制御部２０４は、記憶装置２０５に格納されたプログラムに基づき各種動作を制御するものである。例えば、入力装置２０３により入力された命令に従い、表示装置２０２に所定の内容を表示させるための制御、ネットワーク処理部２０１を介して電子カルテサーバ１００との間の接続の制御を行うとともに、電子カルテサーバ１００との間でデータの送受制御などを行う。
【００３７】
図３は、この発明の実施形態に用いられる電子カルテ端末装置２００（３００、４００、５００）のハードウェア構成の一例を示すブロック図である。このブロック図には、制御部２０４を構成するＣＰＵ２０４ａ、ＲＡＭ２０４ｂ、ハードディスクコントローラ２１５、ＤＶＤ−ＲＯＭドライバ２１６、マウスコントローラ２１３ａ、キーボードコントローラ２１３ｂ、ディスプレイコントローラ２１２、およびネットワークボードを有するネットワーク処理部２０１が示されており、それらはバス２２０で相互に接続されている。
【００３８】
ＤＶＤ−ＲＯＭドライバ２1６は、ＣＤ−ＲＯＭまたはＤＶＤ−ＲＯＭが装填され、装填されたＣＤ−ＲＯＭ、ＤＶＤ−ＲＯＭをドライブし、ＣＤ−ＲＯＭ、ＤＶＤ−ＲＯＭに格納されたプログラム、データなどを読み込み、ハードディスク２０５に格納するものである。ネットワークボード処理部２０１に備えられたＬＡＮポート(図示しない)には、ＬＡＮケーブルが挿入され、ＬＡＮ６０と接続される。尚、モバイル型パーソナルコンピュータにおいては、ＤＶＤ-ＲＯＭ装置は、内蔵されているのではなく外付けの装置をＵＳＢを介して接続されている。
【００３９】
また、記憶装置としてのハードディスク２０５は、ハードディスクコントローラ２１５によりアクセスされ、制御部２０４の制御に基づき、データの読み出し、書き込みが行われる。入力装置２０３としてのマウス２０３ａはマウスコントローラ１１６により制御され、マウス２０３ａによる指示がバス２２０から制御部２０４に与えられる。入力装置２０３としてのキーボード２０３ｂは、キーボードコントローラ１１７により制御され、キーボード２０３ｂから入力された指示が制御部２０４に与えられる。表示装置２０２としてのＬＣＤは、ディスプレイコントローラ２１２により制御され、表示装置２０２に所望の映像を表示させる。なお、図示はしていないが、入力装置２０３としてタッチパネルを用いる場合には、タッチパネルより入力されたコマンド等の指示が制御部２０４に与えられる。
【００４０】
次に、本実施形態の電子カルテ端末装置および電子カルテサーバの構成について説明する。
【００４１】
図４は、この実施形態の電子カルテ端末装置および電子カルテサーバの概略構成図であり、電子カルテサーバ１００と院外端末としても用いることができる端末装置４００、携帯入力端末装置５００とをＬＡＮ６０で接続した例を示している。この実施形態では、図１の電子カルテ端末装置４００，携帯入力端末装置５００を院外端末装置として利用できるように構成している。
【００４２】
この実施形態は、ＬＡＮの接続状態に応じて、診療録の入力を電子カルテサーバ１００の記憶装置１２０に行うモード（以下、院内端末モードという。）又は電子カルテ端末装置４００または携帯入力端末装置５００の記憶装置自体に行うモード（以下、院外端末モードという。）を選択できるように構成している。すなわち、電子カルテ端末装置４００をサーバのクライアントとして用いる院内端末モードと、院外での診療録入力装置として用いる院外端末モードをＬＡＮの接続状態で選択できるように構成している。この実施形態における院外端末モードは、自宅や特養施設などの院外で用いる場合と患者宅など往診先で用いる場合の双方を含む。そして、院外端末モードにおいて、特に往診端末装置としての特有のモードでの動作の際には往診端末モードということにする。
【００４３】
図４に示すように、この実施形態の電子カルテ端末装置４００および携帯入力端末装置５００は、電子カルテサーバ１００とＬＡＮ６０が接続された院内端末モードにおいては、電子カルテサーバ１００の記憶装置１２０に対してデータの読み出し、更新を行うクライアントとして機能する。また、電子カルテサーバ１００とＬＡＮ６０が切断された院外端末モードにおいては、電子カルテ端末装置４００または携帯入力端末装置５００自体で診療録を電子的に記録する装置として用いられる。すなわち、電子カルテ端末装置４００は、院内環境と同じ電子カルテシステムを院外に持ち出して、院内と同様の作業が行えるように構成されている。このため、電子カルテ端末装置４００の記憶装置２０５には、電子カルテサーバ１００の記憶装置１００に格納される各データベース（ＤＢ）が同様に設けられている。記憶装置２０５には、電子カルテ端末装置の処理動作を行うための処理プログラム２２６、ユーザ毎の利用形態等の情報を格納している設定ファイル２２７の他に、患者管理ＤＢ（データベース）２２１、患者治療情報ＤＢ２２２、診療ＤＢ２２３、医療情報ＤＢ１２４、電子カルテシステムを利用する医師、事務職員等のユーザの個人情報を格納しているユーザ管理ＤＢ２２５を備える。
【００４４】
また、携帯入力端末装置５００は、往診端末として用いる場合には、往診に必要な往診端末専用のアプリケーションが起動し、カルテ参照、主訴記載、所見記載、投薬入力などの各画面構成並びにこれらの入力ができるように構成されている。また、往診端末として使用する場合には、往診予約している患者のカルテ情報が記憶装置２０５に格納されている。また、携帯入力端末装置５００の記憶装置２０５にも、電子カルテサーバ１００の記憶装置１００に格納される各データベース（ＤＢ）が同様に設けられている。
【００４５】
携帯入力端末装置５００は、モバイル型のパーソナルコンピュータで構成されるので、表示装置２０２の画面は小さい。そこで、表示画面の縦、横どちらに向きを変えても一画面に表示できるように構成している。
【００４６】
これら各データベースは、電子カルテサーバ１００から電子カルテ端末装置４００または、携帯入力端末装置５００へ同期を取り、電子カルテサーバ１００の記憶装置１２０の内容に電子カルテ端末装置４００または携帯入力端末装置５００の記憶装置２０５を更新設定できる。また、院外端末モードで記憶装置２０５の内容を更新した場合、電子カルテ装置４００または携帯入力端末装置５００のデータベースの内容と、電子カルテサーバ１００の記憶装置１２０との同期を採り、容易に最新のデータに更新できるように構成されている。
【００４７】
上記したように、この電子カルテ端末装置４００または携帯入力端末装置５００は、ＬＡＮ６０との接続状態により、院内端末モードと院外端末モードとが切り替られるように構成されている。このため、この実施形態では、制御部２０４がネットワーク処理部２０１の状態を起動した後端末動作中も監視し、ＬＡＮ６０との接続状態が変化したときに、院内端末モードか院外端末モードを選択して切替るものである。
【００４８】
図４に示すように、診療録等が格納されるデータベースを備えた記憶装置２０５を電子カルテ端末装置４００および携帯入力端末装置５００は備え、電子カルテサーバ１００にネットワーク処理部２０１、ＬＡＮ６０を介して接続可能である。この実施形態においては、ＬＡＮ６０は、有線ＬＡＮで構成しているが、ＬＡＮはこれに限らず、無線ＬＡＮで構成することもできる。無線ＬＡＮとしては、ＰＨＳシステムを用いたものや赤外線を使用したものなどを用いることができる。
【００４９】
電子カルテ端末装置４００または携帯入力端末装置５００のＬＡＮポート（図示しない）にＬＡＮケーブル(図示しない)が接続されると、ネットワーク処理部２０１は、ＬＡＮ６０との間の接続を行う。制御部２０４は、ネットワーク処理部２０１の状態を監視し、ＬＡＮ６０と接続が確認されると、院内端末モードとして電子カルテ端末装置４００または携帯入力端末装置５００を動作できる状態に設定する。
一方、電子カルテ端末装置４００または携帯入力端末装置５００のＬＡＮポート（図示しない）からＬＡＮケーブル(図示しない)を外すと、ネットワーク処理部２０１とＬＡＮ６０との接続が遮断され、制御部２０４は、院外端末モードとして電子カルテ端末装置４００または携帯入力端末装置５００を動作できる状態に設定する。
【００５０】
この実施形態では、電子カルテ端末装置４００または携帯入力端末装置５００を動作しているときにもＬＡＮ６０の接続状態を制御部２０４が監視し、その状態の変化により、モードの切り替えを行うように構成している。このため、ＬＡＮの接続状態に応じて、診療録の入力を電子カルテサーバ１００か電子カルテ端末装置４００または携帯入力端末装置５００に選択でき、医師等のユーザは、ユーザが使用を希望するモードで確実に動作が行える。
【００５１】
電子カルテ装置４００または携帯入力端末装置５００の入力装置２０３は、電子カルテ端末装置４００または携帯入力端末装置５００が電子カルテサーバ１００から切り離された状態において、操作に応じて診療録を入力し、制御部２０４は、その診療録を記憶装置２０５のデータベースに格納させる。
【００５２】
記憶装置２０５に格納された診療録データは、電子カルテ端末装置４００または携帯入力端末装置５００が電子カルテサーバ１００に接続された状態において、診療録データを電子カルテサーバ１００に送付し、データの同期を採る。
【００５３】
電子カルテ装置４００または携帯入力端末装置５００の制御部２０４は、電子カルテサーバ１００から診療録および診療録作成のためのマスタを取得し、記憶装置２０５に記録するように制御するとともに、電子カルテサーバ１００から取得し記録された診療録を、入力装置２０３により入力された診療録で更新するように制御する。この制御部２０４は、ＬＡＮ６０の接続状態により、院内端末モード、院外端末モードを選択する。
【００５４】
制御部２０４は、ＬＡＮ６０との接続が遮断されたときには、院外端末モードとして動作させる。このため、制御部２０４は、院外端末として必要なアプリケーションを起動させ、不要なアプリケーションは停止し、データベースとしてアクセスする先を内部の記憶装置２０５に切替る。この時起動させるアプリケーションは、データベース、認証プログラム、ログオン機能プログラム等である。一方、制御部２０４は、ＬＡＮ６０と接続されたときには、院内端末モードとして動作させる。このため、制御部２０４は、院内端末として必要なアプリケーションを起動させ、不要なアプリケーションは停止し、データベースとしてアクセスする先を電子カルテサーバ１００に切替る。
【００５５】
また、電子カルテサーバ１００は、操作に応じて診療録を入力する電子カルテ端末装置４００または帯入力端末装置５００がＬＡＮ６０を介して接続可能な、記憶装置１２０を備え、制御部１１３により、これらデータの読み出し、更新が行われる。
【００５６】
電子カルテサーバ１００の制御部１１３は、ＬＡＮ６０を介して接続された電子カルテ端末装置４００または携帯入力端末装置５００からの要求に応じて、診療録および診療録作成のためのマスタを電子カルテ端末装置４００または携帯入力端末装置５００に供与するように制御する。また、制御部１１３は、ＬＡＮ６０を介して接続された電子カルテ端末装置４００または携帯入力端末装置５００から送付されてきた診療録の送付を受け、送付を受けた診療録により、記憶装置１２０の各データベースを更新するように制御する。
【００５７】
電子カルテサーバ１００の制御部１１３により電子カルテ端末装置４００または携帯入力端末装置５００などを含む各クライアントからの診療録のデータ操作に関するリクエストを集中して受け付け、応答する。
【００５８】
これら各部の動作の詳細については後述する。
【００５９】
電子カルテ端末装置４００または携帯入力端末装置５００内に格納される処理プログラム２２６、電子カルテサーバ１００に格納される処理プログラム１２６は、記憶媒体に格納され、電子カルテ装置４００、携帯入力端末装置５００及び電子カルテサーバ１００にそれぞれインストールされ、電子カルテ端末装置４００、携帯入力端末装置５００、電子カルテサーバ１００をコンピュータシステムが構成する。これらプログラムを格納するのに用いられる記憶媒体の種類は特に限定されるものではなく、処理プログラム２２６または処理プログラム１２６を記憶することのできる記憶媒体であればどのような記憶媒体でもよい。例えば、ハードディスク、ＣＤ−ＲＯＭ、ＣＤ−Ｒ／ＲＷ、ＤＶＤ−ＲＯＭなど所望の記憶媒体を用いることができる。
【００６０】
このような、処理プログラム２２６を記憶したプログラム記憶媒体を、ノートブック型の電子カルテ端末装置４００のＤＶＤ−ＲＯＭドライブまたはモバイル型の携帯入力端末装置５００に接続したＤＶＤ−ＲＯＭドライブに装填してプログラムを電子カルテ端末装置４００または携帯入力端末装置５００に読み込ませて電子カルテ端末装置４００または携帯入力端末装置５００内の記憶装置２０５にインストールすることによりパーソナルコンピュータ上に電子カルテ端末装置４００または携帯入力端末装置５００が構築され運用される。
【００６１】
また、電子カルテサーバプログラムを記憶した電子カルテサーバプログラム記憶媒体をサーバマシン１００のＤＶＤ−ＲＯＭドライブに装填して電子カルテサーバの処理プログラム１２６をこれら各サーバマシンに読み込ませてサーバマシン内の記憶装置１２０にインストールすることにより各サーバマシン上に電子カルテサーバ１００が構築され運用される。
【００６２】
次に、この実施形態の電子カルテ端末装置４００または携帯入力端末装置５００について説明する。
【００６３】
この実施形態の電子カルテ端末装置４００または携帯入力端末装置５００は２つの動作モード、即ち、“院内端末モード”と“院外端末モード”を有している。
【００６４】
前述したように、“院内端末モード”は、電子カルテ端末装置４００または携帯入力端末装置５００がＬＡＮ６０を介して電子カルテサーバ１００と接続された状態において電子カルテ端末装置４００または携帯入力端末装置５００が電子カルテサーバ１００の記録装置１２０の各データベースにアクセスして電子カルテ（診療録）の参照・更新などを行うモードである。
【００６５】
“院外端末モード”とは、電子カルテ端末装置４００または携帯入力端末装置５００が電子カルテサーバ１００から切り離された状態において電子カルテ端末装置４００または携帯入力端末装置５００のそれぞれ内部に備えられた記録装置２０５に格納されたデータベースにアクセスして電子カルテ（診療録）の参照・更新などを行うモードである。この発明においては、院外端末モードは、自宅や特養施設などの院外で用いる場合と、患者宅など往診先で用いる場合の双方の場合を含む。そして、携帯入力端末装置５００は、自宅で電子カルテ(診療録)の参照・更新を行う通常の院外端末モードと、特定の患者宅等の往診先で診療する際に、予め必要なカルテ情報やオーダセットを用意し、帰院時に往診時のデータを院内のサーバに反映することができる往診端末モードとを選択できる。
【００６６】
これらの動作モードは、電子カルテ端末装置４００または携帯入力端末装置５００がＬＡＮ６０との接続状態を監視し、接続状態により制御部２０４がいずれの動作モードかが選択されるようになっている。
【００６７】
入力装置２０３は、実際に診療情報を参照・入力する部分であり、キーボード、マウス、タッチパネル等で構成され、院内端末モード、および院外端末モードのいずれの運用モードであるかに関わらず、同一の入力装置２０３を使用する。
【００６８】
ネットワーク処理部２０１は、自動的に電子カルテサーバ１００に対するＬＡＮ６０ヘの接続を試み、接続に成功すれば制御部２０４が院内端末モードでシステムを動作させる。一方、電子カルテ端末装置４００または携帯入力端末装置５００がＬＡＮ６０との接続が遮断されていると、院外端末モードでシステムを動作させる。この動作の詳細については後述する。
【００６９】
電子カルテ端末装置４００または携帯入力端末装置５００の制御部２０４は、入力装置２０３で行った入力操作を受けて、データを操作するための命令を発行する。この制御部２０４は、現在有効なＤＢに診療録を入力する。すなわち、電子カルテ端末装置４００または携帯入力端末装置５００が電子カルテサーバ１００に接続された状態にある院内端末モードの場合は記録装置１２０のデータベースに診療録を入力し、また、電子カルテ端末装置４００または携帯入力端末装置５００が電子カルテサーバ１００から切り離された状態にある院外端末運用モードの場合は、装置内部の記憶装置２０５のデータベースに診療録を入力する。
【００７０】
電子カルテ端末装置４００、携帯入力端末装置５００の記憶装置２０５内の設定ファイル２２７は、各電子カルテ端末装置４００、携帯入力端末装置５００毎に保有し、各電子カルテ端末装置４００、携帯入力端末装置５００が取得している情報を記録・格納するものである。
【００７１】
この設定ファイル２２７には、データ名、取得タイプ、最終更新日時、最終反映日時、更新情報が記憶される。
【００７２】
データ名は、各データ（テーブル）を識別する名称である。取得タイプは、取得時の状態（更新可、参照のみ）を識別するものである。最終更新日時は、データの更新を行った最終日時を記録するものである。最終反映日時は、正規ＤＢに対して更新情報の反映を行った最終日時を記録するものである。
【００７３】
更新情報は、電子カルテシステムで使用する全てのデータに対して、電子カルテ端末装置４００または携帯入力端末装置５００がどのようなデータ操作（更新・追加・削除）を加えたかを示す更新情報が記録される。
【００７４】
記憶装置２０５の各データベースには、電子カルテ端末装置４００、携帯入力端末装置５００に供与される診療録及び各種マスタやファイルなどデータ全てに関する情報を記録・格納するものである。
【００７５】
次に、この実施形態の電子カルテ端末装置、携帯入力端末装置５００および電子カルテサーバの動作について説明する。
【００７６】
この実施形態では、電子カルテ端末装置４００、携帯入力端末装置５００は、制御部２０４にて、起動時並びに起動した後端末として動作させている間、ネットワーク処理部２０１を監視し、電子カルテ端末装置４００または携帯入力端末装置５００がＬＡＮ６０と接続されているか否か判定する。その判定結果に応じて、サーバＤＢによる院内端末モード、または、電子カルテ端末装置４００、携帯入力端末装置５００の記憶装置２０５による院外端末モードのいずれかの動作モードが自動的に選択されるようになっている。
【００７７】
この実施形態における携帯入力端末装置５００は、電子カルテサーバ１００と、このサーバ１００にＬＡＮ６０と接続される。この携帯入力端末装置５００を訪問診療の際に医師等のユーザが往診先に持ち、カルテの参照、主訴記載、所見記載、投薬入力などを行う。このため、訪問診療を行う前に、ユーザは、訪問診療予約を入力し、電子カルテサーバ１００の記憶装置１０２に訪問診療のスケジュールデータを格納する。訪問診療は、医師が定期的に患者宅を計画的に訪問(往診)して診察するものである。このため、医師等のユーザは予め訪問診療を行う予定を把握しているので、この予定に基づき、記憶装置１０２内に訪問診療予約としてスケジュールデータを入力し、格納しておく。この予約は、１日単位の予約、または週単位の予約として記憶装置１２０内に、患者ＩＤ、患者氏名、予約時間（往診日時）などが格納される。訪問診療（往診）に行く前に、これから訪問しようとする患者に関する患者データを電子カルテサーバ１００と同期を採り、携帯入力端末装置５００内の記憶装置２０５にダウンロードする。ダウンロードは、訪問診療予約した患者のデータが携帯記憶入力端末装置５００にダウンロードされる。ダウンロードは、カルテ情報、往診用に設定された診察セットなどの各種オーダセット、往診用に設定した主訴テンプレート、所見テンプレート、シェーマテンプレートなどに従い、往診に利用しやすいように設定されて訪問診療予約された患者毎に記憶装置２０５内に格納される。
【００７８】
電子カルテサーバ１００からデータのダウンロードが終了すると、ＬＡＮケーブルを抜き、ＬＡＮ６０との接続を遮断して往診端末モードとして動作する携帯入力端末装置５００を準備する。
【００７９】
往診先で、携帯入力端末装置５００を用いて、訪問先の患者のカルテにより、診察行為を行うことができる。携帯端末装置５００は、訪問診療（往診）に必要な予約された患者だけの患者データを格納し、所見や主訴、投薬の入力、過去カルテの参照ができるので、現地で複数の患者検索をする必要が無く、診療行為が迅速に行える。
【００８０】
携帯入力端末装置５００を用いて過去カルテを持ち出し、この携帯入力端末装置５００を用いて、所定の診療行為を行う。そして、その記録をつけると共に、患者の病気の症状を含む身体状況の記録もこの携帯入力端末装置５００を利用して行われる。このように、カルテの現地入力が行えるので、過去の症状、処置もその場で確認しながら適切な診療行為と記録が行える。
【００８１】
携帯入力端末装置５００は、モバイル型パーソナルコンピュータで構成しているので、患者宅のベッドサイドで入力が簡単に行える。
【００８２】
更に、この実施形態においては、訪問診療予約を行っていない緊急の往診の場合にも携帯入力端末装置５００を用いて患者の診療記録が行えるように構成されている。
【００８３】
緊急の往診の場合には、患者宅で携帯入力端末装置５００を用いて、患者ＩＤ又は患者名を入力した後に、主訴テンプレート、所見テンプレート、シェーマテンプレートなどに従いカルテ記載を行って患者登録並びに診療録を記憶装置２０に格納する。
【００８４】
訪問診療が修了すると、医師等のユーザは診療の記録や患者の身体状況などを記録した携帯入力端末装置５００を電子カルテサーバ１００にＬＡＮ６０を介して接続する。そして、携帯入力端末装置５００を電子カルテサーバ１００のクライアントとして動作させ、電子カルテサーバ１００との間で同期処理が行われる。同期処理時に往診先で記載したカルテ情報が電子カルテサーバ１００にアップロードされる。すなわち、院内環境で訪問予約により診療した患者並びに緊急往診した患者を訪問時と同じ日付が条件で訪問診療予約からの受付や過去受付等の受付を行う。この受付により、対応する患者のカルテが開き、往診時の記載内容がカルテに展開されて電子カルテサーバ１００内の記憶装置１２０に記憶、保存される。
【００８５】
緊急の往診の場合に記録したカルテがある場合には、同期時に、携帯入力端末装置５００で記録した患者ＩＤ又は患者名から電子カルテサーバ１００内に記憶装置１２０に格納されている患者データを検索し、患者を特定する。そして、その特定された患者の診療録(カルテ)に緊急往診時に記録された内容がカルテに展開されて電子カルテサーバ１００内の記憶装置に記憶、保存される。なお、患者データを検索し、該当する患者がいない場合には、新患患者として登録される。
【００８６】
この実施形態の電子カルテ端末装置４００、携帯入力端末装置５００および電子カルテサーバの動作について、図５を参照して説明する。図５は、この実施形態の電子カルテ端末装置または、携帯入力端末装置の動作を説明するためのフローチャートである。
【００８７】
この実施形態においては、ＬＡＮ６０との接続状態を監視している。勿論、システムの起動時についてもまずＬＡＮ６０との接続を監視し、ネットワーク処理部２０１の状態から制御部２０１が電子カルテサーバ１００の記憶装置１２０の診療録データベースへの接続の可否を判定し、その判定結果に応じて、電子カルテサーバ１００との接続によるによる院内端末モード、または、院外端末モード（往診端末モードを含む）のいずれかの動作モードが自動的に選択されるようになっている。
【００８８】
先ず、電子カルテ端末装置４００または携帯入力端末装置５００のシステムが起動すると、制御部２０４は、ネットワーク処理部２０１からの情報に基づき、ＬＡＮ６０と接続されているか否か判断する（ステップＳ１）。ＬＡＮ６０と接続されていると判断されると、院内端末用モードにおける認証を行うために、制御部２０４は、表示装置２０２に院内端末用モードにおけるＩＤ入力をユーザに指示する表示を行う（ステップＳ２）。この表示は、ユーザＩＤ、パスワード等の利用者認証情報の入力画面である。この入力画面のとき、認証動作が院内端末であることがユーザに分かるように、ＩＤの入力表示画面の色を院内端末モードと院外端末モードとを区別している。このように、区別することで、ユーザは、自身が使用する動作モードを確認できる。また、院内端末モードと院外端末モードとの認証情報を異ならせることで、誤ったモードでの動作を防止できる。
【００８９】
表示装置２０２の表示に従って、ＩＤ並びのパスワードを入力装置２０３から入力し（ステップＳ３）、制御部２０４は、入力された認証情報をユーザ管理ＤＢ２２５に格納された管理データに基づき利用者の認証が行われる（ステップＳ４）。正当な利用権を持つことが認証されると、院内端末用モードでの動作を行うように、電子カルテ端末装置４００または携帯入力端末装置５００がＬＡＮ６０を介して電子カルテサーバ１００の記録装置１２０の各データベースにアクセスするように、データとのアクセス先を電子カルテサーバ１００にして院内端末モードに設定し、起動動作を終了する。
【００９０】
認証が失敗すると、エラーメッセージを表示し(ステップＳ６)、ＩＤ入力回数を１つインクリメントして（ステップＳ７）、ＩＤの入力エラーが所定回数発生したか否か判断され（ステップＳ８）、所定回数エラーが発生すると、セキュリティなどの関係からＬＡＮ６０の接続を遮断し、動作を終了する。
【００９１】
エラー回数が所定回数に達していない場合には、ステップ３に戻り、前述のＩＤ認証動作を繰り返す。ＩＤの認証が行われれば、院内端末モードとして起動し、起動動作を終了する。
【００９２】
ユーザが院内端末モードで使用しようとして、院内端末用のＩＤを入力してエラーが何度も発生する場合には、ユーザは、ＩＤの間違いかＬＡＮケーブルを挿入するのを忘れているかが認識できる。このため、ユーザはＬＡＮケーブルの接続状態を見て院内端末モードとして用いる予定にも関わらず、ＬＡＮケーブルが外れている場合には、ＬＡＮケーブルを確実に挿入することにより、院内端末モードへの動作の起動に切り替えることができる。
【００９３】
一方、ステップＳ１において、ＬＡＮが接続されていないと判断されると、ステップＳ９に進み、院外端末用モードにおける認証を行うために、制御部２０４は、表示装置２０２に院外端末用モードにおけるＩＤ入力をユーザに指示する表示を行う（ステップＳ９）。この表示は、ユーザＩＤ、パスワード等の利用者認証情報の入力画面である。
【００９４】
表示装置２０２の表示に従って、ＩＤ並びにパスワードを入力装置２０３から入力し（ステップＳ１０）、制御部２０４は、入力された認証情報をユーザ管理ＤＢ２２５に格納された管理データに基づき利用者の認証が行われる（ステップＳ１１）。正当な利用権を持つことが認証されると、院外端末用モードでの動作を行うように、電子カルテ端末装置４００または携帯入力端末装置５００が内部の記憶装置２０５のサーバＤＢにアクセスするように、データとのアクセス先を内部記憶装置２０５にして院外端末モードに設定し、起動動作を終了する。
【００９５】
認証が失敗すると、エラーメッセージを表示し(ステップＳ１３)、ＩＤ入力回数を１つインクリメントして（ステップＳ１４）、ＩＤの入力エラーが所定回数発生したか否か判断され（ステップＳ１５）、所定回数エラーが発生すると、セキュリティなどの関係からＬＡＮ６０の接続を遮断し、動作を終了する。
【００９６】
エラー回数が所定回数に達していない場合には、ステップ１０に戻り、前述のＩＤ認証動作を繰り返す。ＩＤの認証が行われれば、院外端末モードとして起動し、起動動作を終了する。
【００９７】
ユーザが院外端末モードで使用しようとして、院内端末用のＩＤを入力してエラーが何度も発生する場合には、ユーザは、ＩＤの間違いかＬＡＮケーブルが接続されたままの状態かが認識できる。このため、ユーザはＬＡＮケーブルの接続状態を見て院外端末モードとして用いる予定にも関わらず、ＬＡＮケーブルが接続されている場合には、ＬＡＮケーブルを外すことにより、院外端末モードへの動作の起動に切り替えることができる。
【００９８】
さて、この実施形態においては、ＬＡＮ６０との接続状態を端末の起動後端末動作を行っている間も監視し、起動後ＬＡＮ６０の接続状態が変化すると動作モードを変更するように制御している。図６ないし図８に従い端末動作の切り替えにつき説明する。
【００９９】
図６は、端末動作を説明するためのフローチャートである。図６に示すように、電子カルテ端末装置４００または携帯入力端末装置５００が起動し端末として動作した後も後、制御部２０４は、ネットワーク処理部２０１を監視し、ＬＡＮ６０が切断されたか否か判断する（ステップＳ２１）。制御部２０１はＬＡＮ６０が切断されていると判断すると、電子カルテ端末装置４００または携帯入力端末装置５００の動作モードが院内端末モードであるか否か判断する（ステップＳ２２）。院内端末モードではないと判断する、すなわち、院外端末モードの動作を行っていると判断すると、ＬＡＮ６０が切断されている場合には、院外端末モードでの使用であるので、そのままの院外端末モードでの動作を継続し（ステップＳ２３）、端末の切替動作を終了する。
【０１００】
一方、ステップＳ２２において、院内端末モードであると判断されると、院外端末への切替動作の処理を行い(ステップＳ２４)、その後、端末の切替動作を終了する。院外端末への切替動作の処理については、後述する。
【０１０１】
一方、ステップＳ２１において、制御部２０１はＬＡＮ６０が接続されていると判断すると、電子カルテ端末装置４００または携帯入力端末装置５００の動作モードが院外端末モードであるか否か判断する（ステップＳ２５）。院外端末モードではないと判断する、すなわち、院内端末モードの動作を行っていると判断すると、ＬＡＮ６０が接続されている場合には、院内端末モードでの使用であるので、そのまま院内端末モードでの動作を継続し（ステップＳ２６）、端末の切替動作を終了する。
【０１０２】
一方、ステップＳ２２において、院外端末モードであると判断されると、院内端末への切替動作の処理を行い(ステップＳ２７)、その後、端末切替動作を終了する。院内端末への切替動作の処理については、後述する。
【０１０３】
図７は、院外端末の切替処理の動作を説明するためのフローチャートである。図７に示すように、院外端末への切替動作を開始すると、オンラインからオフラインへネットワークの状態が切り替わったことを制御部２０４は表示装置２０２に表示させ、ユーザにネットワークの状態変化を通知する（ステップＳ３１）。図１２に、ネットワークの状態を変化したときに表示する表示装置２０２の表示画面２０２ａの例を示している。この実施形態においては、ネットワークの状態が変化したときには、ネットワークの切替に応じてシステムを再起動して所定の動作モードになるように構成している。このため、表示画面２０２ａには、ネットワークの状態が変化したこと、ネットワークの変更に伴い必要なサービス(動作モード)を起動する必要があること、サービスの再起動をボタンを押すことにより、院内サーバとの同期状態に関係なくサービスの切替が可能なこと等が表示される。更に、サービスの再起動のためのアイコンボタン、キャンセルボタンが表示される。図１２には、院内サーバとの同期を行うアイコンボタン、院内サーバ同期を行う場合の管理者モードにするためのアイコンボタンも表示している。尚、院内サーバとの同期を行うアイコンボタンは使用できないように表示されている。
【０１０４】
オンラインからオフラインに切り替わったが、院内端末モードを継続したい場合には、キャンセルボタンを押しＬＡＮ６０を接続すればよい。
【０１０５】
続いて、サービスの再起動のボタン（院外端末への切替を確認摺るためのボタンとして機能する）がクリックされるまで待機し（ステップＳ３２）、ボタンがクリックされると、端末内部の記憶装置（ハードディスク：ＨＤ）２０５の処理プログラム２２６より、データベースの起動を含みシステムを起動する（ステップＳ３３）。
【０１０６】
プログラムが起動すると図１３に示すように、表示装置２０２の表示画面２０２ａに電子カルテシステムの起動画面が表示され、続いて、図１４に示すように、サービスの再起動を行っていることを示す画面が表示画面２０２ａに表示される。
【０１０７】
処理プログラム２２６を起動し、端末装置４００または携帯入力端末装置５００のセッションを端末装置側、すなわち、端末装置内の記憶装置２０５とアクセスを行うように設定し、院外端末として必要なアプリケーションが起動される。そして、記憶装置２０５内のデータベースへのアクセス、認証プログラム、ログオン機能を端末装置４００または携帯入力端末装置５００自体で行うように設定される(ステップＳ３４)。
【０１０８】
その後、院外端末用のＩＤの入力画面が表示装置２０２の表示画面２０２ａに表示される(ステップＳ３５)。このログイン時に、院外端末におけるログインが分かるように、この実施形態においては、図１５に示すように、ユーザＩＤの欄２０２ｂの背景の色が変わる。例えば、院外端末モードの時には、背景がピンクで、院内端末モードの時にはブルーの色に変えている。院内端末モードと院外端末モードとの区別は背景の色を変える以外に、「オフラインＰＣにログインします」等のメッセージや、院外端末モード、院内端末モード等のモードを示すメッセージをポップアップ表示したり、画面の右上などに常時表示するなど種々の表示態様を採ることができる。
【０１０９】
表示装置２０２の表示に従って、ＩＤ並びのパスワードを入力装置２０３から入力する（ステップＳ３６）。制御部２０４は、入力された認証情報をユーザ管理ＤＢ２２５に格納された管理データに基づき利用者の認証が行われる（ステップＳ３７）。正当な利用権を持つことが認証されると、院外端末用モードでの動作を行うように、電子カルテ端末装置４００または携帯入力端末装置５００が内部の記憶装置２０５のサーバＤＢにアクセスするように、データとのアクセス先を内部の記憶装置２０５にして院内端末モードに設定し、起動動作を終了する。
【０１１０】
認証が失敗すると、エラーメッセージを表示し(ステップＳ３９)、ＩＤ入力回数を１つインクリメントして（ステップＳ４０）、ＩＤの入力エラーが所定回数発生したか否か判断され（ステップＳ４１）、所定回数エラーが発生すると、セキュリティなどの関係からＬＡＮ６０の接続を遮断し、動作を終了する。
【０１１１】
エラー回数が所定回数に達していない場合には、ステップ３６に戻り、前述のＩＤ認証動作を繰り返す。ＩＤの認証が行われれば、院外端末モードとして起動し、端末切替動作を終了し、院外端末動作モードで動作する。院外端末動作モードで動作すると、例えば、図１６に示すように、表示画面２０２ａの右上に「オフラインモードでログイン中」などのように、院外端末動作モードで動作していることを表示し、ユーザに院外端末動作モードで動作であることを認識させている。
【０１１２】
院外端末モードで電子カルテ端末装置４００または携帯入力端末装置５００を使用することで、院内環境と同じ画面、使用態様で、自宅、特養施設などの院外で診療録の記入、新規患者登録などを行うことができる。また。携帯入力端末装置５００では、院外端末モードの中で往診端末モードとして動作させる場合には、往診端末として患者宅で往診記録を行うことができる。
【０１１３】
次に、院外端末動作モードから院内端末モードへの切替動作につき図８を参照して説明する。図８は、院外端末への切替処理の動作を説明するためのフローチャートである。
【０１１４】
図８に示すように、院内端末への切替動作を開始すると、オフラインからオンラインへネットワークの状態が切り替わったことを制御部２０４は表示装置２０２に表示させ、ユーザにネットワークの状態変化を通知する（ステップＳ５１）。図１７に、ネットワークの状態を変化したときに表示する表示装置２０２の例を示している。この実施形態においては、ネットワークの状態が変化したときには、ネットワークの切替に応じてシステムを再起動した後に、記憶装置２０５のデータベースと電子カルテサーバ１００の記憶装置１２０のデータベースとの同期を採り、所定の動作モードになるように構成している。このため、表示画面２０２ａには、ネットワークの状態が変化したこと、ネットワークの変更に伴い必要なサービス(動作モード)を起動する必要があること、サービスの院内サーバとの同期ボタンを押すことにより、院内サーバとの同期を採りサービスの切替が可能なこと等が表示される。更に、院内サーバ同期管理者モードのアイコンボタン、サービスの再起動のためのアイコンボタン、キャンセルボタンが表示される。尚、サービスの再起動のためのアイコンボタン、院内サーバ同期管理者モードのアイコンボタンは、使用できないように表示されている。
【０１１５】
オフラインからオンラインに切り替わったが、院外端末モードを継続したい場合には、キャンセルボタンを押し、ＬＡＮ６０の接続を解除すればよい。
【０１１６】
続いて、院内サーバとの同期のボタン（院内切替を確認するためのボタン）がクリックされるまで待機し（ステップＳ５２）、ボタンがクリックされると、端末内部の記憶装置（ハードディスク：ＨＤ）２０５への接続(アクセス)が可能か否か判断する(ステップＳ５３)。端末内部の記憶装置２０５へのアクセスができない場合には、動作を終了する。
【０１１７】
端末内部の記憶装置２０５へのアクセスが可能であると、ステップＳ５４に進み、処理プログラム２２６より、システムを起動する。プログラムが起動すると、表示装置２０２に電子カルテシステムの起動画面が表示され、続いて、サービスの再起動を行っている画面が表示される。処理プログラム２２６を起動し、端末装置４００または携帯入力端末装置５００のセッションをサーバ側へのアクセスを行うように設定し、院内端末として必要なアプリケーションが起動される。
【０１１８】
その後、院外端末用のＩＤの入力画面が表示装置２０２に表示される(ステップＳ５４)。このログイン時に、院内端末におけるログインが分かるように、この実施形態においては、図１８に示すように、ユーザＩＤの欄の背景の色が変わる。例えば、院内端末モードの時にはブルーの色に変えている。院内端末モードと院外端末モードとの区別は背景の色を変える以外に、「電子カルテシステムにログインします」等のメッセージや、院内端末モード等のモードを示すメッセージをポップアップ表示したり、画面の右上などにオンライン中などを常時表示するなど種々の表示態様を採ることができる。
【０１１９】
表示装置２０２の表示に従って、ＩＤ並びのパスワードを入力装置２０３から入力する（ステップＳ５５）。制御部２０４は、入力された認証情報をサーバのユーザ管理ＤＢ１２５に格納された管理データに基づき利用者の認証が行われる（ステップＳ５６）。正当な利用権を持つことが認証されると、院内端末用モードでの動作を行う院内端末として起動する(ステップＳ５７)。この時、電子カルテ端末装置４００または携帯入力端末装置５００は、内部の記憶装置２０５へのデータベースへも同期更新作業のためにアクセスできるように設定している。
【０１２０】
認証が失敗すると、エラーメッセージを表示し(ステップＳ６２)、ＩＤ入力回数を１つインクリメントして（ステップＳ６３）、ＩＤの入力エラーが所定回数発生したか否か判断され（ステップＳ６４）、所定回数エラーが発生すると、セキュリティなどの関係からＬＡＮ６０の接続を遮断し、動作を終了する。
【０１２１】
エラー回数が所定回数に達していない場合には、ステップ５５に戻り、前述のＩＤ認証動作を繰り返す。ＩＤの認証が行われれば、院内端末モードとして起動する。
【０１２２】
院内端末動作モードで動作すると、例えば、表示画面の右上に「オンラインモードでログイン中」などのように、院内端末動作モードで動作していることを表示し、ユーザに院内端末動作モードで動作であることを認識させるように構成することもできる。
【０１２３】
院内端末動作を起動すると、制御部２０４は、記憶装置２０５のデータベースに更新データがあるか否か判断する（ステップＳ５８）。更新データがない場合には、ステップＳ６１に進み、ステップＳ６１にて、電子カルテ端末装置４００または携帯入力端末装置５００がこれから入力するデータ等を電子カルテサーバ１００の記憶装置１２０のデータベースにアクセスするように、セッションを電子カルテサーバ１００に切り換える。この切替により、アクセス先が電子カルテサーバ１００の記憶装置１２０となる。そして、院内端末モードへの切替処理が終了する。
【０１２４】
一方、更新データがある場合には、同期処理動作を行い、内部記憶装置２０５と電子カルテサーバ１００の記憶装置１２０との間でデータの同期処理が行われ（ステップＳ５９）、同期処理が終わると、図１９に示すように、表示画面２０２ａに内部記憶装置２０５へのアクセスを停止する表示を行いつつ内部記憶装置２０５のアクセスを停止した後、ステップＳ６１に進む。同期処理動作については、後述する。
【０１２５】
このように、院内端末モードに切り換えることで、電子カルテ端末装置４００または携帯入力端末装置５００は、電子カルテサーバ１００に対するクライアントマシンとして動作する。
【０１２６】
次に、同期処理につき説明する。同期処理は、院外端末で新たに患者を登録したときの患者のＩＤ同期と、重複したカルテの内容の同期、更に往診端末として用いた場合に訪問診療の同期処理とがある。まず、患者のＩＤ同期処理について、図９及び図１０を参照して説明する。
【０１２７】
院外端末モードで、記憶装置２０５内に新患患者を登録する際にＩＤを採番するが、この実施形態においては、自動的にＩＤを採番する方法とユーザが希望するＩＤ(以下、キープＩＤという。)とを、院外端末で使用することができるように構成している。
【０１２８】
まず、院外端末モードで電子カルテ端末装置４００または携帯入力端末装置５００を用いて患者ＩＤを用いた新患患者登録動作について図９に従い説明する。尚、院外端末モードにおいて、登録した患者ＩＤは電子カルテサーバ１００には、まだ登録されていないので、院外端末状態での患者ＩＤについては仮のＩＤとしている。このため、この実施形態では、院外端末モードでは、仮患者ＩＤ登録ということにする。
【０１２９】
院外端末モードで電子カルテ端末装置４００または携帯入力端末装置５００を用いて新患患者（ＩＤ）の登録、すなわち、新たなカルテの登録を行うために、新患患者登録のための患者のアイコンをクリックすると、制御部２０４は、新患登録画面を起動し、表示装置２０２の表示画面２０２ａに、図２０に示すような患者登録の受け付け画面を表示させる。そして、このとき、制御部２０４は、自動的に仮患者ＩＤを自動に割り付ける。図２０の例では、患者ＩＤに「Ａ００００４」の仮ＩＤが自動的に割り付けられている。このＩＤは、例えば、先頭のアルファベットが電子カルテ端末装置を識別するための識別コードとして用い、後の数字が電子カルテ端末装置内で自動的に採番する番号としている。
【０１３０】
続いて、希望するＩＤがあるか否か、すなわちキープＩＤを使用するか否かを判断する。この実施形態では、図２０に示すキープＩＤ欄の使用という欄にクリックするとキープＩＤを使用すると判断し、この欄が空欄の場合には、キープＩＤを使用しないと判断する。図２０に示す例では、キープＩＤ欄を使用しない場合である。
【０１３１】
キープＩＤを使用しない場合には、ステップＳ１０８に進み、患者情報を入力し、そして、選択された患者ＩＤを仮ＩＤとして、仮ＩＤとともに患者情報を記憶装置２０５内のデータベースに格納する（ステップＳ１０９）。
【０１３２】
一方、図２１に示すように、キープＩＤを使用する欄にクリックすると、ステップＳ１０３からステップＳ１０４に進み、自動割付によるＩＤの使用を解除し（ステップＳ１０４）、ユーザによるキープＩＤの入力を待ち（ステップＳ１０５）、ユーザからの入力が無いと判断すると、ステップＳ１０２に戻り、自動割付によるＩＤが採番に戻る。
【０１３３】
ユーザによるキープＩＤ入力があると、制御部２０４は、ＩＤの重複があるか否か判断し(ステップＳ１０５)、重複がない場合には、ステップＳ１０８に進み、患者情報を入力し、そして、選択された患者ＩＤを仮ＩＤとして、仮ＩＤとともに患者情報を記憶装置２０５内のデータベースに格納する（ステップＳ１０９）。
【０１３４】
ステップＳ１０６において、入力したＩＤが重複する場合には、ステップＳ１０７に進み、図２２に示すように、ＩＤが重複する旨表示画面２０２ａに表示し、ステップＳ１０５に戻り、新たなＩＤの入力を待つ。図２３に示すように、新たなキープＩＤを入力する。図２１においては、キープＩＤが５２だったのを図２３においては、０００５４に変更して入力している。変更したＩＤが重複しない場合には、ステップＳ１０８に進み、患者情報を入力し、そして、選択された患者ＩＤを仮ＩＤとして、仮ＩＤとともに患者情報を記憶装置２０５内のデータベースに格納する（ステップＳ１０９）。
【０１３５】
変更したＩＤでも重複する場合には、ステップＳ１０５に戻り、前述の動作を繰り返す。ユーザが重複した後、キープＩＤの使用をやめてキープＩＤ使用欄をクリアすると、自動採番ＩＤによる患者情報登録が行われる。患者情報登録が終了すると仮患者ＩＤ登録動作が終了する。
【０１３６】
次に、院外端末モードから院内端末モードに変更し、患者ＩＤに更新データがある場合につき図１０に従い説明する。図１０はＩＤの同期処理を説明するためのフローチャートである。
【０１３７】
同期処理において、院外端末で仮患者ＩＤ登録がある場合には、ＩＤ同期処理が行われる。制御部２０４は、院外で登録された仮患者ＩＤがあると、院内環境での新患登録を停止、すなわち、電子カルテサーバ１００に同期以外の新患登録を停止し（ステップＳ１１１）、患者ＩＤの変換画面を表示する（ステップＳ１１２）。図２４に示すように、表示装置２０２の表示画面には、同期作業の進行状況とともに、仮患者ＩＤ登録動作を示す画面が表示される。
【０１３８】
そして、仮患者ＩＤ番号を一旦決定する（ステップＳ１１３）。この決定は、キープＩＤがある場合には、装置の識別情報を除いたキープＩＤが変換後の患者ＩＤとして一旦決定される。一方、図２５に示すように、院外端末において、自動採番による仮ＩＤの場合、電子カルテサーバ１００に登録された患者ＩＤと重複しないＩＤを自動的に採番するか、又は患者ＩＤを入力し、図２６に示すように、変換後ＩＤとして一旦決定される。
【０１３９】
続いて、仮決定されたＩＤが電子カルテサーバ１００内に登録された患者ＩＤと重複するか否か判断され（ステップＳ１１４）、重複しない場合には、仮決定したＩＤを正規ＩＤとして割付、その患者ＩＤに基づき、患者情報を電子カルテサーバ１００内に登録する(ステップＳ１１７)。そして、全ての新患登録が終了したか否か判断され（ステップＳ１１８）、終了していない場合には、ステップＳ１１２に戻り、前述の動作を繰り返す。
【０１４０】
一方、ステップＳ１１４において、ＩＤの重複があると判断されると、ステップＳ１１５に進み、ＩＤの重複があることを示すエラー表示を行う。エラー表示は、例えば、図２７に示すように、キープＩＤがあるのにも関わらず、変換後ＩＤの欄が空欄で、キープ患者ＩＤの番号を赤色に表示するなどして重複することをユーザに知らせる。
【０１４１】
続いて、図２８に示すように、重複するＩＤとは異なるＩＤを入力又は自動採番によるＩＤの入力がされるまで待機し（ステップＳ１１６）、入力後、ステップＳ１１４に戻る。
【０１４２】
ステップＳ１１８において、全ての新患登録が終了したと判断されると、ステップＳ１１９に進み、院内環境での新患登録のロックを解除して、ＩＤ同期処理を終了する。
【０１４３】
次に、カルテの同期処理について図１１に従い説明する。図１１は、カルテの同期動作を説明するためのフローチャートである。図１１に示すように、記憶装置２０５の中のカルテデータと電子カルテサーバ１００の記憶装置１２０内のカルテデータとの間で重複カルテがあるか否か制御部２０４が判断する（ステップＳ７１）。重複するカルテが無い場合には、動作を終了する。重複するカルテがある場合には、重複する患者の一覧を表示装置２０２の表示画面２０２ａに、図２９に示すように表示する（ステップＳ７２）。続いて、変更処理する患者を選択する(ステップＳ７３)。変更する患者を選択すると、図３０に示すように、選択された患者のカルテが、院内の電子カルテサーバ１００に格納されたカルテと院外端末として登録し装置の記憶装置２０５内に格納されたカルテとがそれぞれ判別できる態様で表示画面２０２ａに表示される。表示されたカルテを参照して採用するカルテを決定する（ステップＳ７４）。図３０に示す例では、画面上に院内保存カルテを選択するためのアイコンと、院外保存カルテを選択するアイコンが表示され、ユーザは採用するカルテのアイコンをクリックして採用するカルテを決定する。
【０１４４】
そして、全重複患者のカルテの選択が終わったか否か判断され（ステップＳ７５）、終了していない場合には、ステップＳ７２に戻り、前述の動作を繰り返す。全ての重複患者のカルテの選択が終了すると、採用するカルテを今後用いるカルテとして電子カルテサーバ１００に登録するとともに、採用せずに重複削除するカルテは、図３１に示すように、カルテ更新履歴として.電子カルテサーバ１００内に登録する。このように、削除したカルテも完全にデータベースから削除するのではなく、カルテ更新履歴として保存する。
【０１４５】
このように構成することで、患者に対して入力したカルテ情報は、電子カルテサーバ１００内に格納保存され、通常の使用の際には、カルテが重複して表示されることはないが、必要に応じて過去のカルテ情報を読み出し、表示することもできる。
【０１４６】
次に、携帯入力端末装置５００を往診端末として、使用する場合につき説明する。図３２は、往診端末モードとして用いる場合の切替動作を示すフローチャートである。この実施形態では、特定の患者宅を訪問し診察する場合に、予め必要なカルテ情報やオーダセットを用意する。訪問診療では、医師が定期的に患者宅を訪問(往診)して診察するものである。このため、この実施形態の往診端末モードでは、まず、訪問診療の為の訪問診療予約が行われ、この予約スケジュールが電子カルテサーバ１００内の記憶装置１２０内に格納する。
【０１４７】
携帯入力端末装置５００を往診端末として用いる場合には、必要なカルテ情報やオーダセットを用意する。このため、携帯入力端末装置５００は、電子カルテサーバ１００にＬＡＮ６０と接続し、電子カルテサーバ１００から該当する患者情報を携帯入力端末装置５００にダウンロードする動作を行う。そこで、訪問診療のための往診端末動作を選ぶと、携帯入力端末装置５００の制御部２０４は、ネットワーク処理部２０１の状態からＬＡＮ６０と接続されているか否か判断する（ステップＳ２０１）。ＬＡＮ６０と接続されている場合にはステップＳ２０２に進み、訪問診療予約が済んでいるか否か制御部２０４が判断する。予約が完了していない場合には、ステップＳ２０３に進み、訪問診療する患者の日時、患者ＩＤ、患者名を入力して訪問診療予約を行い、その予約スケジュールを電子カルテサーバ１００の記憶装置１２０に保存し、ステップＳ２０４に進む。この予約は、１日単位の予約、または週単位の予約として記憶装置１２０内に、患者ＩＤ、患者氏名、予約時間（往診日時）などが格納される。
【０１４８】
ステップＳ２０４において、訪問診療予約に基づくカルテ情報やオーダセットを用意するために電子カルテサーバ１００との同期をとるための同期ボタンのアイコンがクリックされたか否か判断され、同期ボタンが押されていない場合には、ステップＳ２０５に進み、該当するスケジュールに基づくダウンロードが済んでいるか否か判断され、ダウンロードが済んでいない、即ち、サーバとの同期処理を選択せず、ダウンロードも済んでいない場合には、まだ、訪問診療予約などの処理を行う場合があるので、ステップＳ２０１に戻る。
【０１４９】
ステップＳ２０４にて、図３４に示すように、同期ボタンのアイコンがクリックされると、ステップＳ２０６に進み、電子カルテサーバ１００に格納されている予約スケジュールに基づき、予約した往診対象患者の患者情報を電子カルテサーバ１００の記憶装置１２０から読み出し、携帯入力端末装置５００の記憶装置２０５にダウンロードする。ダウンロードを行っているときには、図３５に示すように、表示画面２０２ａにダウンロード中であることを表示する。このダウンロードにより、主訴記載、所見記載、投薬入力の画面のテンプレートと往診フォルダと患者毎に患者フォルダが作成され、患者フォルダに該当する患者のカルテ情報などの患者データが格納される。
【０１５０】
ダウンロードが修了すると、ステップＳ２０７に進む。ステップＳ２０７において、ＬＡＮ６０が切断されたか否か判断する。ＬＡＮが切断されていない場合には、ステップＳ２０１に戻る。
【０１５１】
ＬＡＮ６０が切断されると、ステップＳ２０８に進み、ステップＳ２０８にオフラインからオンラインへネットワークの状態が切り替わったことを制御部２０４は表示装置２０２に表示させ、ユーザにネットワークの状態変化を通知する。
【０１５２】
続いて、往診端末モードで動作するためのボタンがクリックされるまで待機し（ステップＳ２０９）、ボタンがクリックされると、ステップＳ２１０に進み、処理プログラム２２６より、システムを起動する。プログラムが起動すると、表示装置２０２に電子カルテシステムの起動画面が表示され、処理プログラム２２６を起動し、携帯入力端末装置５００のセッションを端末側へのアクセスを行うように設定し、往診端末として必要なアプリケーションが起動し、往診端末へのモードが切り替えられる。
【０１５３】
一方、ステップＳ２０１で。ＬＡＮ６０の接続が遮断されたことを判断すると、ステップＳ２１１に進み、ステップＳ２１１にオフラインからオンラインへネットワークの状態が切り替わったことを制御部２０４は表示装置２０２に表示させ、ユーザにネットワークの状態変化を通知する。
【０１５４】
続いて、往診端末モードで動作するためのボタンがクリックされるまで待機し（ステップＳ２１２）、ボタンがクリックされると、ステップＳ２１３に進み、処理プログラム２２６より、システムを起動する。プログラムが起動すると、表示装置２０２に電子カルテシステムの起動画面が表示され、処理プログラム２２６の起動し、携帯入力端末装置５００のセッションを端末側へのアクセスを行うように設定し、往診端末として必要なアプリケーションが起動し、往診端末へのモードに切り替えられる。
【０１５５】
上記の処理において、携帯端末装置５００は、訪問診療（往診）に必要な予約された患者だけの患者データが格納される。このため、所見や主訴、投薬の入力、過去カルテの参照ができるので、現地で複数の患者検索をする必要が無く、診療行為が迅速に行える。
【０１５６】
図３６は、往診端末モードで起動した場合の表示装置２０２の表示画面２０２ａの例を示す模式図である。図３６に示すように、日付、時間と訪問診療する予定の患者名が患者ＩＤと共に表示されている。そして、患者名をクリックすると、該当する患者情報が表示される。そして、表示画面２０２ａのカルテ表示のアイコンボタンをクリックすると、図３７に示すように、患者のカルテ画面が表示される。カルテには、患者毎のオーダセット等の患者個別のセットが用意されており、図３７に示すように表示される。
【０１５７】
そして、患者宅でカルテに診察記録を入力するためにワープロ入力のタグをクリックすると、図３８、図３９に示すように診察記録の際によく利用する項目は学習リストに登録されており、この登録された欄をクリックすることにより、簡単に診察記録をカルテに記録できるように構成している。
【０１５８】
この携帯入力端末装置５００は、モバイル型のパーソナルコンピュータを用いているので、表示画面２０２ａは小さい。そこで、図４０に示すように、表示の縦横を変えて表示可能に構成している。
【０１５９】
更に、この実施形態においては、訪問診療予約を行っていない緊急の往診の場合にも携帯入力端末装置５００を用いて患者の診療記録が行えるように構成されている。
【０１６０】
緊急の往診の場合には、図３６の予約外臨時往診のアイコンをクリックして、患者宅で携帯入力端末装置５００を用いて、図４１に示すように、患者ＩＤ又は患者名を入力した後に、主訴テンプレート、所見テンプレート、シェーマテンプレートなどに従いカルテ記載を行って患者登録並びに診療録を記憶装置２０５に格納する。
【０１６１】
次に、往診端末モードで記録したカルテ情報の同期処理を行う場合につき図３３に従い説明する。訪問診療が修了すると、医師等のユーザは診療の記録や患者の身体状況などを記録した携帯入力端末装置５００を電子カルテサーバ１００にＬＡＮ６０を介して接続する。そして、携帯入力端末装置５００を電子カルテサーバ１００のクライアントとして動作させ、電子カルテサーバ１００との間で同期処理が行われる。
【０１６２】
同期処理が開始すると、緊急往診により予約外の臨時往診を行ったカルテが存在するか否か判断される（ステップＳ２２１）。予約外診療のカルテが存在すると判断されると、図４２に示すように、予約外の臨時往診を行ったカルテが存在する旨を表示し、図４３に示すように、予約外臨時往診選択画面が表示される。そして、ステップＳ２２２にて、名前又は患者ＩＤより患者を特定し、電子カルテサーバ１００内の患者データを検索し、該当する患者のカルテが有るか否か判断する。
【０１６３】
該当するカルテがある場合には、ステップＳ２２３に進み、図４４に示すように、患者を選択し、ステップＳ２２４に進む。ステップＳ２２２にて、該当するカルテが無い場合には、ステップＳ２２８に進み、新患患者として電子カルテサーバ１００に登録し、ステップＳ２２７に進む。
【０１６４】
ステップＳ２２２にて患者を選択すると、訪問診療患者の一覧に追加し、ステップＳ２２４に進む。そして、ステップＳ２２４にて、訪問診療患者の一覧を表示し、ステップＳ２２５に進む。
【０１６５】
ステップＳ２２５にて、処理する患者を選択すると、ステップＳ２２６にて、図４５に示すように、選択された患者のカルテが表示され、図４６に示すように、往診時の診察内容が展開され、患者のカルテに、往診時の診察記録が追加されて、電子カルテサーバ１００内の記憶装置１２０のデータベースに格納される。
【０１６６】
尚、上記した実施形態では、訪問診療患者の一覧に基づき、同期処理により、逐次データを反映させるように構成しているが、これに関わらず、訪問診療を行った際に、診療記録を記載した患者データに対してはフラグを立て、同期処理の際には、フラグに基づき自動的にデータを反映するように構成してもよい。そして、予約外の臨時往診がある場合だけ、患者名又は患者ＩＤから電子カルテサーバ１００の患者データを検索し、患者を特定するように構成してもよい。
【０１６７】
往診端末モードで携帯入力端末装置５００においては、往診端末用の往診フォルダと患者毎に作成される患者フォルダを用いて患者毎にオーダセットを用意することができる。
【０１６８】
図４７は、図４８は、患者毎に作成される患者フォルダを示し、このフォルダには、オーダに対応するアイコンが表示されている。図４８は、図４７に比べて全体所見と体格との情報フォルダが除かれている。このように、ユーザにより所望するカルテ情報を患者フォルダにコピーできる。
【０１６９】
図４９に示すように、往診端末において、診察処置のオーダをドラッグアンドドロップすることにより、その処置内容がカルテに反映される。反映して登録処理が終了すると、図５０に示すようにカルテが作成されることになる。
【０１７０】
図５１に示すように、は、ユーザにより所望するカルテ情報を患者フォルダにコピーし、往診フォルダに投薬セットや所見セットをコピーすると往診端末の往診タグにその内容でテンプレートを自動作成する。図５２は、患者毎のフォルダに患者個別セットを選択した時の表示画面を示す。このように、患者に必要な個別セットを予めコピーすることにより、患者個別のセットを作成することができる。
【０１７１】
図５３、図５４は、患者個別フォルダを選択したときに表示されるカルテの例を示すものである。
【０１７２】
今回開示された実施の形態はすべての点で例示であって制限的なものではないと考えられるべきである。この発明の範囲は、上記した実施の形態の説明ではなくて特許請求の範囲によって示され、特許請求の範囲と均等の意味および範囲内でのすべての変更が含まれることが意図される。
【符号の説明】
【０１７３】
１００  電子カルテサーバ、２００  電子カルテ端末装置、３００  電子カルテ端末装置、４００  電子カルテ端末装置、５００  携帯入力端末装置、１１３  制御部、１１４  記憶装置、１１５  表示装置、１１６  ネットワーク処理部、１２０  記憶装置、２０１  ネットワーク処理部、２０２  表示装置、２０３  入力装置、２０４  制御部、２０５  記憶装置。
【図１】
2011022732.tif 000003
【図２】
2011022732.tif 000004
【図３】
2011022732.tif 000005
【図４】
2011022732.tif 000006
【図５】
2011022732.tif 000007
【図６】
2011022732.tif 000008
【図７】
2011022732.tif 000009
【図８】
2011022732.tif 000010
【図９】
2011022732.tif 000011
【図１０】
2011022732.tif 000012
【図１１】
2011022732.tif 000013
【図１２】
2011022732.tif 000014
【図１３】
2011022732.tif 000015
【図１４】
2011022732.tif 000016
【図１５】
2011022732.tif 000017
【図１６】
2011022732.tif 000018
【図１７】
2011022732.tif 000019
【図１８】
2011022732.tif 000020
【図１９】
2011022732.tif 000021
【図２０】
2011022732.tif 000022
【図２１】
2011022732.tif 000023
【図２２】
2011022732.tif 000024
【図２３】
2011022732.tif 000025
【図２４】
2011022732.tif 000026
【図２５】
2011022732.tif 000027
【図２６】
2011022732.tif 000028
【図２７】
2011022732.tif 000029
【図２８】
2011022732.tif 000030
【図２９】
2011022732.tif 000031
【図３０】
2011022732.tif 000032
【図３１】
2011022732.tif 000033
【図３２】
2011022732.tif 000034
【図３３】
2011022732.tif 000035
【図３４】
2011022732.tif 000036
【図３５】
2011022732.tif 000037
【図３６】
2011022732.tif 000038
【図３７】
2011022732.tif 000039
【図３８】
2011022732.tif 000040
【図３９】
2011022732.tif 000041
【図４０】
2011022732.tif 000042
【図４１】
2011022732.tif 000043
【図４２】
2011022732.tif 000044
【図４３】
2011022732.tif 000045
【図４４】
2011022732.tif 000046
【図４５】
2011022732.tif 000047
【図４６】
2011022732.tif 000048
【図４７】
2011022732.tif 000049
【図４８】
2011022732.tif 000050
【図４９】
2011022732.tif 000051
【図５０】
2011022732.tif 000052
【図５１】
2011022732.tif 000053
【図５２】
2011022732.tif 000054
【図５３】
2011022732.tif 000055
【図５４】
2011022732.tif 000056